Podtech/llm-jp-corpus-v4-ja_patent huggingface dataset:
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
サービング基地局からのセル固有基準信号（ＣＲＳ）が複数のセルのうちの各干渉セルからのＣＲＳと衝突しているかどうかを決定することと、
前記複数のセルの各セルのための消去／抑圧効率（ＣＳＥ）を決定すること、ここにおいて、前記ＣＳＥは、それぞれの干渉セルからのＣＲＳを消去することに関する効率を示す、と、
前記複数のセルの各セルのための前記決定されたＣＳＥに基づいて、および前記サービング基地局からのＣＲＳが前記複数のセルの各干渉セルからのＣＲＳと衝突しているかどうかの前記決定にさらに基づいて、チャネル状態情報（ＣＳＩ）を計算することと
を備える、方法。
【請求項２】
前記複数のセルのうちの少なくとも１つは、干渉セルまたはサービングセルを備える、
請求項１に記載の方法。
【請求項３】
前記複数のセルの各セルのための前記ＣＳＥを決定するための参照リソースを決定することと、
前記複数のセルの各セルのための前記参照リソース上で信号を受信することを試みること、ここにおいて、前記ＣＳＥは、セルのための前記参照リソース上で受信された前記信号に基づいて、前記セルについて決定される、と
をさらに備える、請求項１に記載の方法。
【請求項４】
変調次数またはコーディング方式のうちの少なくとも１つに基づいて、前記複数のセルの各セルのための前記ＣＳＥを決定するための参照リソースを決定することをさらに備える、
請求項１に記載の方法。
【請求項５】
前記計算されたＣＳＥをペイロード中でサービング基地局に送ることをさらに備え、および／または、
前記決定することおよび前記計算することが測定イベントによってトリガされる、
請求項１に記載の方法。
【請求項６】
前記サービング基地局からの前記ＣＲＳは、前記複数のセルの各干渉セルからのＣＲＳと衝突しておらず、前記ＣＳＩは、前記複数のセルから受信された信号の干渉消去／抑圧を実施せずに計算される、
請求項１に記載の方法。
【請求項７】
前記サービング基地局からの前記ＣＲＳは、前記複数のセルの各干渉セルからのＣＲＳと衝突しており、前記方法は、前記複数のセルの各干渉セルのための前記計算されたＣＳＥに重みを適用することをさらに備え、前記ＣＳＩは、前記複数のセルの各干渉セルのための前記重み付けされたＣＳＥに基づいて計算される、
請求項１に記載の方法。
【請求項８】
前記ＣＳＩは、前記重み付けされたＣＳＥが０であるとき、干渉セルから受信された信号の干渉消去／抑圧を実施せずに計算され、前記重み付けされたＣＳＥが０でないとき、干渉セルから受信された信号の干渉消去／抑圧を実施して計算される、
請求項７に記載の方法。
【請求項９】
前記サービング基地局からの前記ＣＲＳは、前記複数のセルの干渉セルの第１のサブセットからのＣＲＳと衝突しており、前記複数のセルの干渉セルの第２のサブセットからのＣＲＳと衝突しておらず、前記方法は、衝突するＣＲＳをもつ干渉セルからの干渉を消去／抑圧すべきかどうかを決定することをさらに備える、
請求項１に記載の方法。
【請求項１０】
前記干渉セルからの干渉信号を消去／抑圧することを控えることを決定すると、前記ＣＳＩは、衝突するＣＲＳをもつ干渉セルから受信された信号の干渉消去／抑圧を実施せずに計算される、
請求項９に記載の方法。
【請求項１１】
前記干渉セルからの干渉信号を消去／抑圧することを決定すると、前記ＣＳＩは、衝突するＣＲＳをもつ干渉セルから受信された信号の干渉消去／抑圧を実施して計算される、  請求項９に記載の方法。
【請求項１２】
前記ＣＳＩは、複数の計算されたＣＳＥ値を平均化することによって計算される、
請求項９に記載の方法。
【請求項１３】
ユーザ機器におけるワイヤレス通信のための装置であって、
サービング基地局からのセル固有基準信号（ＣＲＳ）が複数のセルのうちの各干渉セルからのＣＲＳと衝突しているかどうかを決定するための手段と、
前記複数のセルの各セルのための消去／抑圧効率（ＣＳＥ）を決定するための手段、ここにおいて、前記ＣＳＥは、それぞれの干渉セルからのＣＲＳを消去することに関する効率を示す、と、
前記複数のセルの各セルのための前記決定されたＣＳＥに基づいて、および前記サービング基地局からのＣＲＳが前記複数のセルの各干渉セルからのＣＲＳと衝突しているかどうかの前記決定にさらに基づいて、チャネル状態情報（ＣＳＩ）を計算するための手段と
を備える、装置。
【請求項１４】
ユーザ機器におけるワイヤレス通信のための装置であって、
メモリと、
前記メモリに結合された少なくとも１つのプロセッサと
を備え、前記少なくとも１つのプロセッサは、
請求項１乃至１２に記載の方法を実施するように構成された、装置。
【請求項１５】
ユーザ機器におけるワイヤレス通信のためのコンピュータ実行可能コードを記憶するコンピュータ可読媒体であって、
請求項１乃至１２のいずれか１項に記載の方法を実施するためのコードを備える、コンピュータ可読媒体。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
デバイス・ツー・デバイス（Ｄ２Ｄ）通信またはディスカバリのため、端末に対し無線リソースを設定し、割り当てる方法であって、基地局によって実行される前記方法は、
デバイス・ツー・デバイス通信の間に前記端末によって使用されるリソースプールを、対応するパラメータに従って設定し、
相異なる構成を有する複数のリソースプールをセットアップし、
相異なるリソースプールの前記構成を、相異なる方法を使って設定またはシグナリングすることを含み、
デバイス・ツー・デバイス・オペレーションのために適したリソースプール構成が前記端末によって選択される、方法。
【請求項２】
前記パラメータに基づいて前記リソースプールを設定することをさらに含み、前記パラメータが、
連続するリソースブロック（ＲＢ）の数と、
繰り返し周期と、
各繰り返し周期内のオフセットＲＢの数と、
を示す、
請求項１に記載の方法。
【請求項３】
デバイス・ツー・デバイス（Ｄ２Ｄ）通信またはディスカバリのため、端末に対し無線リソースを設定し、割り当てる方法であって、前記端末によって実行される前記方法は、
デバイス・ツー・デバイス通信の間に前記端末によって使用されるリソースプールの、対応するパラメータに従う構成を受信し、
デバイス・ツー・デバイス・オペレーションのために適したリソースプール構成を選択することを含み、
相異なる構成を有する複数のリソースプールがセットアップされ、
相異なるリソースプールの前記構成が、相異なる方法を使って設定またはシグナリングされる、方法。
【請求項４】
前記パラメータに基づいて前記リソースプールを設定することをさらに含み、前記パラメータが、
連続するリソースブロック（ＲＢ）の数と、
繰り返し周期と、
各繰り返し周期内のオフセットＲＢの数と、
を示す、
請求項３に記載の方法。
【請求項５】
デバイス・ツー・デバイス（Ｄ２Ｄ）通信またはディスカバリのため、端末に対し無線リソースを設定し、割り当てる基地局であって、
プロセッサと、
前記プロセッサと電子通信しているメモリと、
を含み、前記メモリ中に格納された命令が、
デバイス・ツー・デバイス通信の間に前記端末によって使用されるリソースプールを、対応するパラメータに従って設定し、
相異なる構成を有する複数のリソースプールをセットアップし、
相異なるリソースプールの前記構成を、相異なる方法を使って設定またはシグナリングする、
ため実行可能であり、
前記端末は、デバイス・ツー・デバイス・オペレーションのために適したリソースプール構成を選択するものである、基地局。
【請求項６】
前記メモリ中に格納された前記命令が、
前記パラメータに基づいて前記リソースプールを設定するためさらに実行可能であり、前記パラメータは、
連続するリソースブロック（ＲＢ）の数と、
繰り返し周期と、
各繰り返し周期内のオフセットＲＢの数と、
を示す、
請求項５に記載の基地局。
【請求項７】
デバイス・ツー・デバイス（Ｄ２Ｄ）通信またはディスカバリのため、無線リソースが設定され、割り当てられる端末であって、
プロセッサと、
前記プロセッサと電子通信しているメモリと、
を含み、前記メモリ中に格納された命令が、
デバイス・ツー・デバイス通信の間に前記端末によって使用されるリソースプールの、対応するパラメータに従う構成を受信し、
デバイス・ツー・デバイス・オペレーションのために適したリソースプール構成を選択する、
ため実行可能であり、
相異なる構成を有する複数のリソースプールがセットアップされ、
相異なるリソースプールの前記構成が、相異なる方法を使って設定またはシグナリングされる、端末。
【請求項８】
前記メモリ中に格納された前記命令が、
前記パラメータに基づいて前記リソースプールを設定するためさらに実行可能であり、前記パラメータは、
連続するリソースブロック（ＲＢ）の数と、
繰り返し周期と、
各繰り返し周期内のオフセットＲＢの数と、
を示す、
請求項７に記載の端末。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
メディアデータに応じた１又は複数のメディアセグメントをＭＰＥＧ−ＤＡＳＨ規格に従って取得するためにクライアントによって参照される記述データの提供方法であって、
ＭＰＥＧ−ＤＡＳＨ規格において規定されるリプリゼンテーションに関連付けられた他のリプリゼンテーションを識別するための記述情報と、前記リプリゼンテーションと前記他のリプリゼンテーションとの関連性のタイプに関するタイプ情報とを含む前記記述データを取得する取得ステップと、
前記取得された記述データを前記クライアントからのリクエストに応答して前記クライアントに対して送信する送信ステップと、
を有することを特徴とする記述データの提供方法。
【請求項２】
前記記述データに記述される前記タイプ情報には、ｔｂａｓ、ｓｃａｌ、ｃｄｓｃのうち、少なくとも１つが含まれることを特徴とする請求項１に記載の提供方法。
【請求項３】
前記タイプ情報は、前記リプリゼンテーションと前記他のリプリゼンテーションが、タイルビデオと、タイル間で共通するデータとの関係であることを示すことを特徴とする請求項１に記載の提供方法。
【請求項４】
前記タイプ情報は、前記リプリゼンテーションと前記他のリプリゼンテーションがデコードにおける従属関係を有することを表すことを特徴とする請求項１に記載の提供方法。
【請求項５】
前記タイプ情報は、前記リプリゼンテーションと前記他のリプリゼンテーションがメディアコンテンツとメタデータの関係であることを表すことを特徴とする請求項１に記載の提供方法。
【請求項６】
前記タイプ情報は、前記他のリプリゼンテーションがｈｖｔ１タイプか、他のタイプかを識別可能にする情報であることを特徴とする請求項１に記載の提供方法。
【請求項７】
前記タイプ情報は、前記他のリプリゼンテーションがタイル化されたビデオデータに対応するか否かを識別可能にする情報であることを特徴とする請求項１に記載の提供方法。
【請求項８】
前記記述データには、複数のリプリゼンテーションのそれぞれのソースの識別子であるソースＩＤがさらに記述されることを特徴とする請求項１乃至４のうち、何れか１項に記載の提供方法。
【請求項９】
前記記述データは、複数のメディアコンテンツコンポーネントのそれぞれのソースの識別子であるソースＩＤと、前記複数のメディアコンテンツコンポーネントのそれぞれが属するグループを識別するためのグループＩＤとがさらに記述されることを特徴とする請求項１乃至５のうち、何れか１項に記載の提供方法。
【請求項１０】
１又は複数のメディアコンテンツコンポーネントを要求するためにクライアントによって参照される記述データの提供方法であって、
メディアコンテンツコンポーネントに関連付けられた他のメディアコンテンツコンポーネントを識別するための記述情報と、前記メディアコンテンツコンポーネントと前記他のメディアコンテンツコンポーネントとの関連性のタイプに関するタイプ情報とを含む記述データを取得する取得ステップと、
前記取得された記述データを前記クライアントからのリクエストに応答して前記クライアントに対して送信する送信ステップと
を有することを特徴とする記述データの提供方法。
【請求項１１】
前記メディアコンテンツコンポーネントとはＭＰＥＧ−ＤＡＳＨ規格において規定されるリプリゼンテーションにより表されるメディアデータであることを特徴とする請求項１０に記載の提供方法。
【請求項１２】
メディアデータに応じた１又は複数のメディアセグメントをＭＰＥＧ−ＤＡＳＨ規格に従って取得するためにクライアントによって参照される記述データを提供する提供装置であって、
ＭＰＥＧ−ＤＡＳＨ規格において規定されるリプリゼンテーションに関連付けられた他のリプリゼンテーションを識別するための記述情報と、前記リプリゼンテーションと前記他のリプリゼンテーションとの関連性のタイプに関するタイプ情報とを含む前記記述データを取得する取得手段と、
前記取得手段により取得された記述データを前記クライアントからのリクエストに応答して前記クライアントに対して送信する送信手段と、
を有することを特徴とする記述データの提供装置。
【請求項１３】
前記記述データに記述される前記タイプ情報には、ｔｂａｓ、ｓｃａｌ、ｃｄｓｃのうち、少なくとも１つが含まれることを特徴とする請求項１２に記載の提供装置。
【請求項１４】
前記タイプ情報は、前記リプリゼンテーションと前記他のリプリゼンテーションが、タイルビデオと、タイル間で共通するデータとの関係であることを示すことを特徴とする請求項１２に記載の提供装置。
【請求項１５】
前記タイプ情報は、前記リプリゼンテーションと前記他のリプリゼンテーションがデコードにおける従属関係を有することを表すことを特徴とする請求項１２に記載の提供装置。
【請求項１６】
コンピュータに、請求項１乃至１１のうち、何れか１項に記載の提供方法を実行させるためのプログラム。
【手続補正２】
【補正対象書類名】明細書
【補正対象項目名】００２３
【補正方法】変更
【補正の内容】
【００２３】
本発明の第１の態様に基づく記述データの提供方法は、メディアデータに応じた１又は複数のメディアセグメントをＭＰＥＧ−ＤＡＳＨ規格に従って取得するためにクライアントによって参照される記述データの提供方法であって、ＭＰＥＧ−ＤＡＳＨ規格において規定されるリプリゼンテーションに関連付けられた他のリプリゼンテーションを識別するための記述情報と、前記リプリゼンテーションと前記他のリプリゼンテーションとの関連性のタイプに関するタイプ情報とを含む前記記述データを取得する取得ステップと、前記取得された記述データを前記クライアントからのリクエストに応答して前記クライアントに対して送信する送信ステップと、を有する。
また、本発明の第１の態様によれば、時間メディアセグメントに編成されている、ストリーミングされるタイムドメディアデータを受信するための方法が提供され、タイムドメディアデータは、タイムドサンプルを含む分割タイムドメディアデータに属しており、各タイムドサンプルは複数のサブサンプルを含み、タイムドメディアデータは、各々が独立してカプセル化された少なくとも１つのコンポーネントを含む、少なくとも２つのメディアセグメントファイルとして送信され、前記方法は、
コンポーネントの記述を含むマニフェストを受信すること、
分割タイムドメディアデータの少なくとも一部分を再構築するために少なくとも１つのコンポーネントを選択することと、
マニフェストから、選択されたコンポーネントと少なくとも１つの他のコンポーネントとの間の従属関係を示す情報の従属関係項目を得ることと、
マニフェストから、情報の従属関係項目を解釈するための情報の従属関係特性化項目を得ることと、
選択されたコンポーネント、および、情報の従属関係特性化項目を考慮した情報の従属関係項目の値に応じた少なくとも１つの他のコンポーネントを要求すること、
要求されたコンポーネントを受信すると、受信したコンポーネントから分割タイムドメディアデータの対応する部分を再構築し、再生可能メディア表現ビットストリームを生成することと、を含む。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
対象イベントに関連付けられた画像データを選択的に記録する方法であって、
ビデオカメラの１つまたは複数の画像センサによって、連続的に画像データを取得するステップと、
前記取得画像データを画像データバッファに一時的に記憶するステップと、
前記画像データが連続的に取得される時に第１の対象イベントを識別する第１のユーザ入力の受信に応答して、
前記第１のユーザ入力の前に取得された前記画像データバッファ内の前記取得画像データの少なくとも一部、および
前記第１のユーザ入力の時点もしくは前記第１のユーザ入力の後に連続的に取得された画像データの少なくとも一部
を画像データファイルに記録するステップと、
前記画像データが連続的に取得される時に第２の対象イベントを識別する第２のユーザ入力の受信に応答して、
前記第２のユーザ入力の前に取得された前記画像データバッファ内の前記取得画像データの少なくとも一部、および
前記第２のユーザ入力の時点もしくは前記第２のユーザ入力の後に連続的に取得された画像データの少なくとも一部
を前記画像データファイルに追加するステップと、
前記ビデオカメラを使用して、前記画像データバッファ内に一時的に記憶されている前記取得画像データのうち前記画像データファイルに記録されていない残りの部分を記録せずに破棄するステップと
を含む方法。
【請求項２】
前記連続的に取得された画像データを監視するために電子ディスプレイに接続される前記カメラの出力部に、前記バッファ内に一時的に記憶されている前記画像データを出力するステップをさらに含む、請求項１に記載の方法。
【請求項３】
前記記録するステップ、前記追加するステップ、および前記破棄するステップに続いて、連続記録モードのユーザ選択に応答して、前記ビデオカメラを使用して前記画像データバッファ内の前記取得画像データを破棄せずに記録するステップをさらに含む、請求項１または請求項２のいずれかに記載の方法。
【請求項４】
前記画像データバッファは、特定の時間もしくは特定のフレーム数に対応する画像データを記憶するように構成される、請求項１〜請求項３のうちのいずれか一項に記載の方法。
【請求項５】
前記画像データは、ビデオデータもしくは画像データシーケンスのうちの少なくとも一方を含む、請求項１〜請求項４のうちのいずれか一項に記載の方法。
【請求項６】
前記画像データファイルは、前記画像シーケンスの視覚的提示のために使用可能である、請求項１〜請求項５のうちのいずれか一項に記載の方法。
【請求項７】
前記画像データファイルは、前記ビデオカメラに記録される、請求項１〜請求項６のうちのいずれか一項に記載の方法。
【請求項８】
前記第１のユーザ入力は、ボタン、タッチセンシティブディスプレイ、もしくは音声入力のうちの少なくとも１つによって受信される、請求項１〜請求項７のうちのいずれか一項に記載の方法。
【請求項９】
前記画像データは、少なくとも１０８０ｐの解像度で取得される、請求項１〜請求項８のうちのいずれか一項に記載の方法。
【請求項１０】
前記画像データは、２ｋ〜１０ｋの水平解像度で取得される、請求項１〜請求項９のうちのいずれか一項に記載の方法。
【請求項１１】
前記画像データは、１秒当たり少なくとも１２フレームのフレームレートで取得される、請求項１〜請求項１０のうちのいずれか一項に記載の方法。
【請求項１２】
前記画像データは、１秒当たり１２フレーム〜２５０フレームのフレームレートで取得される、請求項１〜請求項１１のうちのいずれか一項に記載の方法。
【請求項１３】
さらに、前記画像データが連続的に取得される時に前記第１の対象イベントを識別する前記第１のユーザ入力の受信に応答して、
前記第１の対象イベントの表示を生成するステップと、
前記表示を前記画像データファイルに記録するステップと
をさらに含む、請求項１〜請求項１２のうちのいずれか一項に記載の方法。
【請求項１４】
前記第１の対象イベントの表示は、前記第１のユーザ入力が受信された時点を示すタイムスタンプを含む、請求項１３に記載の方法。
【請求項１５】
前記第１の対象イベントの表示は、前記第１の対象イベントの表示と、前記第１のユーザ入力の前に取得された画像データおよび前記第１のユーザ入力の後に連続的に取得された画像データの一部との関連性を示すメタデータを含む、請求項１３または請求項１４のいずれかに記載の方法。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無線アクセスネットワーク(RAN)支援情報が利用不可能であることをモバイルデバイスによって決定するステップであって、前記RAN支援情報が、前記モバイルデバイスのパケットデータネットワーク(PDN)接続をワイヤレスローカルエリアネットワーク(WLAN)からワイヤレスワイドエリアネットワーク(WWAN)に切り替えるための、しきい値の第1のセットを備えるステップと、
前記決定するステップに少なくとも部分的に基づいて、しきい値の第2のセットにアクセスするステップと、
前記RAN支援情報が利用不可能であると決定すると、前記しきい値の第2のセットを利用するステップであって、前記しきい値の第2のセットは、前記モバイルデバイスによって受信されたRAN支援情報の、前のセットである、ステップと、
しきい値の前記第2のセットに少なくとも部分的に基づいて、前記モバイルデバイスの前記PDN接続を前記WLANから前記WWANに切り替えるステップと
を備える方法。
【請求項２】
しきい値の前記第2のセットが、前記WLANおよび/もしくは前記WWANに関連する接続品質表示(CQI)、前記WLANおよび/もしくは前記WWANに関連するインターネットアクセシビリティ表示、前記WLANおよび/もしくは前記WWANに関連する信号強度表示、ならびに/または前記モバイルデバイスに関連する電力レベルのうちの1つまたは複数を備える、請求項1に記載の方法。
【請求項３】
しきい値の前記第2のセットが、前記モバイルデバイスによって前記WWANから前に受信された、しきい値のモバイルデバイス特有のセットを備え、しきい値の前記モバイルデバイス特有のセットが満了していない場合、しきい値の前記モバイルデバイス特有のセットが、前記決定するステップにおいて使用される、請求項1に記載の方法。
【請求項４】
しきい値の前記第2のセットが、前記モバイルデバイスにおいて事前構成されたしきい値のデフォルトセットを備え、
前記WWANに切り替えた後の所定の時間期間内に前記モバイルデバイスが前記PDN接続を前記WLANに切り戻す可能性を低減するために、しきい値の前記デフォルトセットが十分に大きい値に設定される、請求項1に記載の方法。
【請求項５】
しきい値の前記第2のセットが、前記WWANによって提供されたしきい値のブロードキャストセットを備え、しきい値の前記ブロードキャストセットが前記モバイルデバイスに特有でなく、前記方法は、
しきい値の前記ブロードキャストセットを、システム情報ブロック(SIB)を介して前記WWANから受信するステップ
をさらに備える請求項1に記載の方法。
【請求項６】
すべてのPDN接続が前記WLANにオフロードされ、前記モバイルデバイスのセルラー無線がアイドルモードにある場合、前記WWANに関連する無線アクセス技術(RAT)にキャンプオンするように前記モバイルデバイスに命令する表示を受信するステップ
をさらに備え、
前記表示が、前記RATへの前記モバイルデバイスの接続に優先度を付けるRAT/周波数選択優先度(RFSP)インデックス値を備える、請求項1に記載の方法。
【請求項７】
前記モバイルデバイスにおいて回線交換(CS)呼出しを取り損なう確率を低減するために、前記RATがGERANまたはUTRANのうちの1つであるか、または、
前記モバイルデバイスが前記WWANに関するRAN支援情報を受信し続けることを可能にするために、前記RATがUTRANである、請求項6に記載の方法。
【請求項８】
ワイヤレス通信のための装置であって、
無線アクセスネットワーク(RAN)支援情報が利用不可能であると決定するための手段であって、前記RAN支援情報が、前記装置のパケットデータネットワーク(PDN)接続をワイヤレスローカルエリアネットワーク(WLAN)からワイヤレスワイドエリアネットワーク(WWAN)に切り替えるための、しきい値の第1のセットを備える手段と、
前記決定することに少なくとも部分的に基づいて、しきい値の第2のセットにアクセスするための手段と、
前記RAN支援情報が利用不可能であると決定すると、前記しきい値の第2のセットを利用するための手段であって、前記しきい値の第2のセットは、前記モバイルデバイスによって受信されたRAN支援情報の、前のセットである、手段と、
しきい値の前記第2のセットに少なくとも部分的に基づいて、前記装置の前記PDN接続を前記WLANから前記WWANに切り替えるための手段と
を備える装置。
【請求項９】
しきい値の前記第2のセットが、前記WLANおよび/もしくは前記WWANに関連する接続品質表示(CQI)、前記WLANおよび/もしくは前記WWANに関連するインターネットアクセシビリティ表示、前記WLANおよび/もしくは前記WWANに関連する信号強度表示、ならびに/または前記装置に関連する電力レベルのうちの1つまたは複数を備える、請求項8に記載の装置。
【請求項１０】
しきい値の前記第2のセットが、前記装置によって前記WWANから前に受信された、しきい値の装置特有のセットを備え、 
しきい値の前記装置特有のセットが満了していない場合、しきい値の前記装置特有のセットが、前記決定することにおいて使用される、請求項8に記載の装置。
【請求項１１】
しきい値の前記第2のセットが、前記装置において事前構成されたしきい値のデフォルトセットを備える、請求項8に記載の装置。
【請求項１２】
前記WWANに切り替えた後の所定の時間期間内に前記装置が前記PDN接続を前記WLANに切り戻す可能性を低減するために、しきい値の前記デフォルトセットが十分に大きい値に設定される、請求項11に記載の装置。
【請求項１３】
しきい値の前記第2のセットが、前記WWANによって提供されたしきい値のブロードキャストセットを備え、しきい値の前記ブロードキャストセットが前記装置に特有でなく、
前記装置は、
しきい値の前記ブロードキャストセットを、システム情報ブロック(SIB)を介して前記WWANから受信するための手段
をさらに備える請求項8に記載の装置。
【請求項１４】
すべてのPDN接続が前記WLANにオフロードされ、前記装置のセルラー無線がアイドルモードにある場合、前記WWANに関連する無線アクセス技術(RAT)にキャンプオンするように前記装置に命令する表示を受信するための手段をさらに備え、
前記表示が、前記RATへの前記装置の接続に優先度を付けるRAT/周波数選択優先度(RFSP)インデックス値を備え、または、
前記装置において回線交換(CS)呼出しを取り損なう確率を低減するために、前記RATがGERANまたはUTRANのうちの1つであるか、または、
前記装置が前記WWANに関するRAN支援情報を受信し続けることを可能にするために、前記RATがUTRANである、
請求項8に記載の装置。
【請求項１５】
プロセッサによって実行されたとき、前記プロセッサに請求項1乃至7の何れか1項に記載の方法を実施させる命令を具現化するコンピュータ可読記憶媒体。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
装置によるワイヤレス通信のための方法であって、
希望最大利用不可能期間の指示を有するフレームを生成するステップであって、前記希望最大利用不可能期間が、デバイスが前記装置と通信することが利用不可能になる時間量を含む、生成するステップと、
送信のために前記フレームを出力するステップと
を含み、
前記フレームが、前記装置を前記デバイスと関連付けるための手続きの間の送信のための出力である、方法。
【請求項２】
前記希望利用不可能期間が、前記装置から前記デバイスへの送信のためのレイテンシ要件に基づいて決定される
請求項1に記載の方法。
【請求項３】
前記デバイスが前記希望利用不可能期間を受け入れるかまたは拒否するかの指示を含む応答フレームを受信するステップ
さらに含む、請求項1に記載の方法。
【請求項４】
前記応答フレームが、前記デバイスによって提案された利用不可能期間の指示を含む、請求項3に記載の方法。
【請求項５】
前記デバイスによって提案された前記利用不可能期間の受入れを示すフレームを生成するステップをさらに含む、請求項4に記載の方法。
【請求項６】
装置によるワイヤレス通信のための方法であって、
希望最大利用不可能期間の指示を有するフレームを複数のデバイスから受信するステップと、
前記希望最大利用不可能期間に基づいて、前記装置が前記デバイスと通信することが利用不可能になる時間量を決定するステップと、
前記決定に基づいて、1つまたは複数の動作を行うステップと
を含み、
前記フレームが、前記デバイスを前記装置と関連付けるための手続きの間に受信される、方法。
【請求項７】
1つまたは複数の動作を行う前記ステップが、前記デバイスが関与する制限されたアクセスウィンドウ(RAW)を設定するステップを含む、請求項6に記載の方法。
【請求項８】
1つまたは複数の動作を行う前記ステップが、前記装置が低電力状態にある間の期間を設定するステップを含む、請求項6に記載の方法。
【請求項９】
前記低電力状態の前記期間が、前記デバイスのうちのいずれかから受信された最大アウェイ期間(MAD)値の最小値に基づいて設定される、請求項8に記載の方法。
【請求項１０】
前記1つまたは複数の動作が、サブチャネル選択的送信(SST)動作を制御すること、またはセクタ化動作を制御することのうちの少なくとも1つを含む、請求項6に記載の方法。
【請求項１１】
前記装置が前記利用不可能期間を受け入れるかまたは拒否するかを示す応答フレームを生成するステップと、
送信のために前記応答フレームを出力するステップと
をさらに含む、請求項6に記載の方法。
【請求項１２】
前記装置が要求フレーム内に示された前記利用不可能期間を拒否することを前記応答フレームが示す場合、前記応答フレームが異なる利用不可能期間値を含む、請求項11に記載の方法。
【請求項１３】
ワイヤレス通信のための装置であって、
希望最大利用不可能期間の指示を有するフレームを生成するための手段であって、前記希望最大利用不可能期間が、デバイスが前記装置と通信することが利用不可能になる時間量を含む、生成するための手段と、
送信のために前記フレームを出力するための手段と
を含み、
前記フレームが、前記装置を前記デバイスと関連付けるための手続きの間の送信のための出力である、装置。
【請求項１４】
ワイヤレス通信のための装置であって、
希望最大利用不可能期間の指示を有するフレームを複数のデバイスから受信するための手段と、
前記希望最大利用不可能期間に基づいて、前記装置が前記デバイスと通信することが利用不可能になる時間量を決定するための手段と、
前記決定に基づいて、1つまたは複数の動作を行うための手段と
を含み、
前記フレームが、前記デバイスを前記装置と関連付けるための手続きの間に受信される、装置。
【請求項１５】
少なくとも1つのプロセッサによって実行されると、請求項1から5または6から12のいずれか一項に記載の方法を実行する命令を含む、コンピュータプログラム。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
アクティブモバイルネットワーク測定に基づいて、アクティブ仮想モバイル基地局を継続的に監視、検出及び識別するコンピュータ化されたシステムにおいて、
ａ．モバイルネットワークのアクティブサイトに関連するデータを提供する構成トポロジデータベースと、
ｂ．前記データベースに接続された処理ユニットであって、
ｂ．１）前記モバイルネットワークのラジオアクセスネットワーク（ＲＡＮ）のラジオアクセス要素からデータファイルを受信し、そのネットワーク構成トポロジデータを収集し、
ｂ．２）前記モバイルネットワークのモバイル加入者に関係し、モバイルユーザ設備とラジオアクセスネットワーク要素との間で転送されるイベントデータメッセージを収集し、
ｂ．３）前記モバイル加入者のイベントデータを前記ネットワーク構成トポロジデータと比較する処理ユニットと、
ｃ．仮想基地局識別検出器であって、
ｃ．１）前記処理ユニットから仮想基地局の活動を示す比較結果を受信し、
ｃ．２）前記比較結果に基づいて、前記仮想基地局の識別及びプロファイルデータファイルを生成する仮想基地局識別検出器と、を備えるシステム。
【請求項２】
エアインターフェースを介して前記モバイル加入者設備（ＵＥ）と通信する前記仮想基地局は、モバイルオペレータの無線ラジオアクセステレコミュニケーション送信ソースの一部ではない請求項１記載のシステム。
【請求項３】
前記処理ユニットは、前記モバイル加入者ユーザ設備によって報告される仮想基地局測定値を処理及び解析し、前記仮想基地局の識別プロファイルを構築する請求項１記載のシステム。
【請求項４】
前記処理ユニットは、基本的にオンラインでモバイル及びネットワーク測定データを処理及び解析する請求項１記載のシステム。
【請求項５】
前記データファイルは、前記モバイルユーザ設備と異なるラジオアクセスネットワーク要素との間で転送されるリアルタイムイベントメッセージを含むデータファイルである請求項１記載のシステム。
【請求項６】
前記処理ユニットは、
ａ．前記モバイルネットワークのアクティブサイトに関連するデータを提供する構成トポロジデータベースに基づいて前記仮想基地局プロファイルを構築するプロファイルデコーダと、
ｂ．前記仮想基地局データプロファイルを、イベント測定ファイル内で測定され、構成トポロジファイル内で報告されたモバイルネットワーク内のアクティブ基地局と比較するデコンパウンダとを備える請求項１記載のシステム。
【請求項７】
前記デコンパウンダは、所与の報告記録におけるモバイルユーザ設備の測定値から仮想基地局データを抽出する請求項６記載のシステム。
【請求項８】
前記デコンパウンダは、各モバイルネットワークから受信されたデータファイルを並列に解析するように構成された１又は複数のデコーダを含む請求項６記載のシステム。
【請求項９】
前記デコレスポンダは、更に、前記ユーザ設備ユニット（ＵＥ）からのイベント測定データを前記ネットワークトポロジデータと比較し、仮想基地局測定データを検出する請求項６記載のシステム。
【請求項１０】
イベント処理定義及び追跡記録を含む、仮想基地局識別イベントの何らかの追跡記録の履歴データ記録定義を含む履歴データベースを更に備える請求項１記載のシステム。
【請求項１１】
アクティブ仮想基地局のオンライン識別及びプロファイリングのための方法において、
ａ．前記モバイルアクセスネットワークデータファイルを受信することと、
ｂ．データファイルの作成直後に前記データファイルにインデクスを付すことと、
ｃ．通信プロトコル層の関連する測定値をデコンパウンドすることによって前記ファイルから基地局関連データ測定値を抽出することと、
ｄ．前記基地局関連データ測定値を、データベースに保存されている異なるネットワークトポロジデータからのネットワークのトポロジ構成と比較することと、
ｅ．前記仮想基地局の識別の１つ以上のプロファイルを生成することと、を含む方法。
【請求項１２】
履歴データベース内のデータを用いて、法執行機関による更なる使用のために、仮想基地局の起動パターン及び挙動を特定することを更に含む請求項１１記載の方法。
【請求項１３】
前記仮想基地局識別検出器は、ラジオアクセスネットワーク構成トポロジに対応するデータとモバイル加入者イベントとの間に不一致を検出すると、警報を生成するように構成されている請求項１記載のシステム。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
栄養補助有効成分及び栄養補助的に許容される担体として桑抽出物、コーヒー抽出物、豆抽出物を含む健康食品組成物。
【請求項２】
前記栄養補助有効成分が、コーヒー抽出物、豆抽出物及び桑抽出物からなる、請求項１に記載の健康食品組成物。
【請求項３】
さらに食物繊維を含む、請求項１に記載の健康食品組成物。
【請求項４】
経口投与形態である、請求項１に記載の健康食品組成物。
【請求項５】
さらにアラビノースを含む、請求項１に記載の健康食品組成物。
【請求項６】
栄養補助的に許容される担体をさらに含む、請求項１〜６のいずれか１項に記載の健康食品組成物。
【請求項７】
グルコース恒常性の維持、インスリン恒常性の維持、血糖値の低下、体重管理、前糖尿病および糖尿病の進行の防止、前糖尿病および糖尿病の処置、満腹感の誘導、肥満の処置、肥満の進行の防止、高コレステロール血症の処置、高血糖の処置、食後高血糖の処置及び高脂血症の処置のうちの少なくとも１つのための、請求項１〜６のいずれか１項に記載の健康食品組成物の使用。
【請求項８】
血糖値の低下のための請求項７に記載の使用であって、前記血糖値の低下が、前記健康食品組成物の使用後少なくとも１時間維持される、使用。
【請求項９】
食事の摂取前の請求項７に記載の使用。
【請求項１０】
体重管理のための請求項７に記載の使用であって、前記体重管理が、体重増加の防止及び体重減少の誘導を含む、使用。
【請求項１１】
血糖値の低下のための請求項７に記載の使用であって、前記血糖値の低下が、前記健康食品組成物の投与後少なくとも１時間維持される、使用。
【請求項１２】
食事の摂取前の請求項１１に記載の使用。
【請求項１３】
低血糖もしくは低血糖に関連する病状の予防及び／又は治療のための栄養補助有効成分として桑抽出物、コーヒー抽出物及び豆抽出物を含む健康食品組成物の使用。
【請求項１４】
前記病状が、前糖尿病又は糖尿病である、請求項１３に記載の使用。
【請求項１５】
前記低血糖もしくは低血糖に関連する病状の予防が、前糖尿病又は糖尿病の進行を保留することである、請求項１３に記載の使用。
【請求項１６】
前記低血糖に関連する病状がインスリン抵抗性である、請求項１３に記載の使用。
【請求項１７】
前記低血糖もしくは低血糖に関連する病状の予防が、インスリン抵抗性の進行を保留することである、請求項１６に記載の使用。
【請求項１８】
前糖尿病及び糖尿病の治療のための、請求項１３に記載の使用。
【請求項１９】
インスリン抵抗性の治療のための、請求項１３に記載の使用。
【請求項２０】
前記組成物が経口投与形態である、請求項１３に記載の使用。
【請求項２１】
前記低血糖もしくは低血糖に関連する病状の予防及び／又は治療が、前記健康食品組成物の使用後少なくとも１時間維持される、請求項１３に記載の使用。
【請求項２２】
食事の摂取前の請求項１３に記載の使用。
【請求項２３】
前記食事が、グリセミック指数が高い少なくとも１種類の食品を含む、請求項１３に記載の使用。
【請求項２４】
前記栄養補助有効成分が、コーヒー抽出物、豆抽出物及び桑抽出物からなる、請求項１３に記載の使用。
【請求項２５】
前記健康食品組成物が、さらに食物繊維を含む、請求項１３に記載の使用。
【請求項２６】
前記健康食品組成物が、さらにアラビノースを含む、請求項１３に記載の使用。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
キメラ受容体をコードする核酸であって、
ａ）ＣＤ１７１と結合かつ／または相互作用するリガンド結合ドメインをコードするポリヌクレオチド；
ｂ）配列番号２１に示されるアミノ酸配列を含む１２〜４４アミノ酸長のポリペプチドスペーサーをコードするポリヌクレオチド；
ｃ）膜貫通ドメインをコードするポリヌクレオチド；および
ｄ）細胞内シグナル伝達ドメインをコードするポリヌクレオチド
を含む核酸。
【請求項２】
キメラ受容体をコードする単離された核酸であって、
ａ）ＣＤ１７１と結合かつ／または相互作用するリガンド結合ドメインをコードするポリヌクレオチド；
ｂ）配列番号５９に示されるアミノ酸配列を含む１１９アミノ酸長のポリペプチドスペーサーをコードするポリヌクレオチド；
ｃ）膜貫通ドメインをコードするポリヌクレオチド；および
ｄ）細胞内シグナル伝達ドメインをコードするポリヌクレオチド
を含む核酸。
【請求項３】
前記細胞内シグナル伝達ドメインが、ＣＤ２７、ＣＤ２８、４−１ＢＢ、ＯＸ−４０、ＣＤ３０、ＣＤ４０、ＰＤ−１、ＩＣＯＳ、ＬＦＡ−１、ＣＤ２、ＣＤ７、ＮＫＧ２Ｃ、Ｂ７−Ｈ３およびこれらの組み合わせからなる群から選択される共刺激ドメインと、ＣＤ３ζの全体またはその一部とを含む、請求項１または２に記載の核酸。
【請求項４】
請求項１〜３のいずれか一項に記載の核酸を含む宿主細胞であって、
ナイーブＣＤ８＋Ｔ細胞、セントラルメモリーＣＤ８＋Ｔ細胞、エフェクターメモリーＣＤ８＋Ｔ細胞およびバルクＣＤ８＋Ｔ細胞からなる群から選択される細胞傷害性ＣＤ８＋Ｔリンパ球、またはナイーブＣＤ４＋Ｔ細胞、セントラルメモリーＣＤ４＋Ｔ細胞、エフェクターメモリーＣＤ４＋Ｔ細胞およびバルクＣＤ４＋Ｔ細胞からなる群から選択されるＣＤ４＋Ｔヘルパーリンパ球である、宿主細胞。
【請求項５】
前記細胞傷害性ＣＤ８＋Ｔリンパ球がセントラルメモリーＴ細胞であり、該セントラルメモリーＴ細胞がＣＤ４５ＲＯ＋、ＣＤ６２Ｌ＋およびＣＤ８＋である、請求項４に記載の宿主細胞。
【請求項６】
前記ＣＤ４＋ヘルパーリンパ球がナイーブＣＤ４＋Ｔ細胞であり、該ナイーブＣＤ４＋Ｔ細胞が、ＣＤ４５ＲＡ＋、ＣＤ６２Ｌ＋およびＣＤ４＋であり、かつＣＤ４５ＲＯ−である、請求項４に記載の宿主細胞。
【請求項７】
Ｔ細胞前駆細胞または造血幹細胞である、請求項４〜６のいずれか一項に記載の宿主細胞。
【請求項８】
請求項４〜７のいずれか一項に記載の宿主細胞を製造する方法であって、
ａ）長さの異なるキメラ受容体をコードする複数の核酸を含むライブラリーを提供すること；
ｂ）単離された個別のＴリンパ球集団に前記複数の核酸のそれぞれを導入し、各Ｔリンパ球集団をインビトロで増殖させること；
ｃ）腫瘍を有する動物モデルに各遺伝子改変Ｔリンパ球集団を投与し、各遺伝子改変Ｔリンパ球集団が抗腫瘍応答を誘導するかどうかを判定すること；および
ｄ）抗腫瘍応答を誘導するキメラ受容体をコードする核酸を選択すること
を含む方法。
【請求項９】
ａ）ＣＤ４５ＲＡ−、ＣＤ４５ＲＯ＋およびＣＤ６２Ｌ＋の表現型を有するリンパ球集団に請求項１〜３に記載の核酸を導入すること；ならびに
ｂ）抗ＣＤ３および／または抗ＣＤ２８と少なくとも１つの恒常性サイトカインとの存在下において、移入細胞としての使用に十分な数に達するまで前記リンパ球を培養することを含む、請求項８に記載の方法。
【請求項１０】
ＣＤ１７１を発現しているがんまたは固形腫瘍の治療または抑制において使用するための、請求項４〜７のいずれか一項に記載の宿主細胞。
【請求項１１】
がんまたは腫瘍を有する対象の細胞免疫療法において使用するための、請求項４〜７に記載の宿主細胞または請求項１０に記載の宿主細胞。
【請求項１２】
前記がんが神経芽腫である、請求項１０に記載の宿主細胞。
【請求項１３】
前記腫瘍が、乳がん、脳がん、大腸がん、腎臓がん、膵臓がんおよび卵巣がんからなる群から選択される、請求項１０に記載の宿主細胞。
【請求項１４】
前記がんが神経芽腫である、請求項１１に記載の宿主細胞。
【請求項１５】
前記腫瘍が、乳がん、脳がん、大腸がん、腎臓がん、膵臓がんおよび卵巣がんからなる群から選択される、請求項１１に記載の宿主細胞。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
複数の粒子を提供し；
第一オリゴヌクレオチドを、粒子の少なくとも約９０％がそれに共有結合した第一オリゴヌクレオチド１個のみを有するように複数の粒子に結合し、ここで、第一オリゴヌクレオチドは、少なくとも１０の一意的な第一オリゴヌクレオチドのプールから取られるものであり；そして
第二オリゴヌクレオチドを、第一オリゴヌクレオチドの少なくとも約９０％がそれに共有結合した第二オリゴヌクレオチド１個のみを有するように第一オリゴヌクレオチドに結合することを含み、ここで、第二オリゴヌクレオチドは、少なくとも１０の一意的な第二オリゴヌクレオチドのプールから取られるものである、
方法。
【請求項２】
複数の少なくとも１０,０００の微小流体液滴内に複数の細胞および複数の粒子を封入し、少なくとも１０,０００の液滴の複数の液滴が複数の液滴の他の液滴に含まれるオリゴヌクレオチドタグと区別可能な１以上のオリゴヌクレオチドタグを含むように、粒子の少なくともいくつかがそれに共有結合したオリゴヌクレオチドタグを含み；
細胞から核酸を遊離させるために液滴内で少なくともいくつかの細胞を溶解させ；そして
遊離核酸と液滴の少なくともいくつか内のオリゴヌクレオチドタグを結合させる
ことを含む、方法。
【請求項３】
複数の細胞を、微小流体液滴の少なくとも約９０％が１細胞を含むかまたは細胞を含まないように複数の微小流体液滴に封入することを含む、請求項１〜２のいずれかに記載の方法。
【請求項４】
オリゴヌクレオチドタグの少なくともいくつかが少なくとも２バーコード配列を含み、少なくとも２バーコード配列が異なるバーコード配列のプールから選択される、請求項１〜３のいずれかに記載の方法。
【請求項５】
さらにオリゴヌクレオチドタグの少なくともいくつかを粒子から遊離することを含む、請求項１〜４のいずれかに記載の方法。
【請求項６】
オリゴヌクレオチドタグの少なくともいくつかを粒子から光の適用により遊離することを含む、請求項１〜５のいずれかに記載の方法。
【請求項７】
複数の少なくとも１０,０００の微小流体液滴を含み、液滴の少なくともいくつかが核酸フラグメントを含む細胞溶解物を含むものであり、ここで、液滴内の複数の核酸フラグメントがオリゴヌクレオチドタグに結合し、液滴内のオリゴヌクレオチドタグが複数の１０,０００微小流体液滴の他の液滴内のオリゴヌクレオチドタグと区別可能である、物品。
【請求項８】
オリゴヌクレオチドタグの少なくともいくつかが開裂可能リンカーを含む、請求項７に記載の物品。
【請求項９】
オリゴヌクレオチドタグの少なくともいくつかが少なくとも一つのバーコード配列を含む、請求項７〜８のいずれかに記載の物品。
【請求項１０】
オリゴヌクレオチドタグの少なくともいくつかがプライマー配列を含む、請求項７〜９のいずれかに記載の物品。
【請求項１１】
オリゴヌクレオチドタグの少なくともいくつかが開裂可能リンカーを含む、請求項７〜１０のいずれかに記載の物品。
【請求項１２】
細胞を含む複数の少なくとも１０,０００の微小流体液滴を提供し、複数の液滴の少なくとも約９０％は１細胞を含むかまたは細胞を含まず；
細胞から核酸を遊離させるための複数の微小流体液滴内で細胞を溶解させ；そして
遊離核酸とオリゴヌクレオチドタグを結合させることを含み、ここで、液滴の少なくとも約９０％について、液滴内のオリゴヌクレオチドタグは、複数の液滴の他の液滴内のオリゴヌクレオチドタグと区別可能である、
方法。
【請求項１３】
複数の少なくとも１０,０００の微小流体液滴を含み、細胞溶解物を含む液滴の少なくともいくつかを含み、ここで、複数の１０,０００の微小流体液滴の少なくとも約９０％は一粒子のみを含み、粒子はそれに共有結合したオリゴヌクレオチドを含み、液滴内のオリゴヌクレオチドが複数の１０,０００の微小流体液滴の他の液滴内のオリゴヌクレオチドから区別可能である、物品。
【請求項１４】
細胞およびヒドロゲル粒子を液滴内に封入し、ヒドロゲル粒子はそれに結合したバーコード化核酸を有し；
細胞から核酸を遊離させるために液滴内で細胞を溶解し；そして
遊離核酸とバーコード化核酸を酵素的に反応させる
ことを含む、方法。
【請求項１５】
オリゴヌクレオチドを複数の粒子に結合し；
第一バーコードの所定のプールから選択された第一バーコードを用いてオリゴヌクレオチドを酵素的に伸長し；そして
第二バーコードの所定のプールから選択された第二バーコードを用いてオリゴヌクレオチドを酵素的に伸長させる
ことを含む、方法。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
以下のステップを含む、標的配列の増幅のための方法。
ａ．バリアント配列を含む１又は２コピー以上の第１の核酸を含有し、かつ、前記標的配列を含む少なくとも１コピーの第２の核酸を含有し得る試料を提供するステップであって、前記標的配列及びバリアント配列はそれぞれ、相同性サブ配列及び可変性サブ配列を含み、前記可変性サブ配列は少なくとも１つのヌクレオチドを含み、前記標的配列の可変性サブ配列は標的特異的サブ配列であり、前記バリアント配列の前記可変性サブ配列は非標的特異的サブ配列である、ステップ；
ｂ．ブロッカーオリゴヌクレオチドを前記試料に導入するステップであって、前記ブロッカーオリゴヌクレオチドは、標的中立性サブ配列及びブロッカー可変性サブ配列を含む第１の配列を含み、前記標的中立性サブ配列は、前記相同性サブ配列の部分に対して相補的であり、前記ブロッカー可変性サブ配列は、前記非標的特異的サブ配列に対して相補的であり、前記ブロッカー可変性サブ配列は、その３’及び５’末端に前記標的中立性サブ配列が隣接し、かつ、前記標的中立性サブ配列と連続する、ステップ；並びに
ｃ．第１のプライマーオリゴヌクレオチドを前記試料に導入するステップであって、前記第１のプライマーオリゴヌクレオチドは、酵素による伸長を誘導するのに十分であり、前記第１のプライマーオリゴヌクレオチドは、第２の配列を含み、前記第２の配列は、前記相同性サブ配列の第２の部分に対して相補的であり、前記第２の配列は、前記第２の配列が重複サブ配列及び非重複サブ配列を含むように、前記ブロッカーオリゴヌクレオチドの前記標的中立性サブ配列と少なくとも５ヌクレオチド重複し、前記第２の配列は、前記可変性サブ配列に対して相補的ないかなる配列も含まず、前記第２の配列は、ハイブリダイゼーションの標準自由エネルギー（ΔＧ°ＰＴ）を生じさせ、前記第１の配列は、ハイブリダイゼーションの標準自由エネルギー（ΔＧ°ＢＴ）を生じさせ、以下の条件：
＋２ｋｃａｌ／ｍｏｌ≧ΔＧ°ＰＴ−ΔＧ°ＢＴ≧−８ｋｃａｌ／ｍｏｌを満たす、ステップ；
ｄ．ＤＮＡポリメラーゼ、ヌクレオシド三リン酸、及びポリメラーゼに基づく核酸増幅に必要な１又は２以上の試薬を前記試料に導入するステップ；並びに
ｅ．前記試料を、核酸増幅を達成するのに十分な条件下で反応させるステップ；
【請求項２】
ブロッカーオリゴヌクレオチドが、酵素による伸長を防止する官能基又は非相補的配列領域を、３’末端又はその付近に含み、前記官能基が、３−炭素スペーサー又はジデオキシヌクレオチドを含む、請求項１に記載の方法。
【請求項３】
ＤＮＡポリメラーゼが耐熱性ＤＮＡポリメラーゼであり、核酸増幅を達成するのに十分な条件が、試料を少なくとも１０サイクルにかけるステップを含み、各サイクルが、少なくとも２つの異なる温度曝露を含み、１つの温度曝露が少なくとも８５℃であり、１つの温度曝露が７５℃以下である、請求項１に記載の方法。
【請求項４】
試料にニッキング酵素、リコンビナーゼ、ヘリカーゼ、ＲＮＡｓｅ、逆転写酵素又はそれらの任意の組合せからなる群から選択される酵素を導入するステップをさらに含む、請求項１に記載の方法。
【請求項５】
重複サブ配列が、標的中立性サブ配列の５’末端の部分を含み、
前記部分が、５ヌクレオチド〜４０ヌクレオチドであるか、又は任意で７ヌクレオチド〜３０ヌクレオチドである、請求項１に記載の方法。
【請求項６】
非重複サブ配列が、ハイブリダイゼーションの標準自由エネルギー（ΔＧ°３）を生じさせ、以下の条件：
−４ｋｃａｌ／ｍｏｌ≧ΔＧ°３≧−１２ｋｃａｌ／ｍｏｌ
を満たす、請求項１に記載の方法。
【請求項７】
試料に導入されるブロッカーオリゴヌクレオチドの濃度が、前記試料に導入される第１のプライマーオリゴヌクレオチドの濃度より２〜１０，０００倍高く、任意で、前記試料に導入される前記第１のプライマーオリゴヌクレオチドの濃度より５〜１，０００倍高く、任意で、前記試料に導入される前記第１のプライマーオリゴヌクレオチドの濃度より２〜５倍高い、請求項１に記載の方法。
【請求項８】
標的中立性サブ配列及びブロッカー可変性サブ配列を含む第１の配列を含むブロッカーオリゴヌクレオチドであって、前記ブロッカー可変性サブ配列は、その３’及び５’末端に前記標的中立性サブ配列が隣接し、前記標的中立性サブ配列と連続する、前記ブロッカーオリゴヌクレオチド；並びに
酵素による伸長を誘導するのに十分である第１のプライマーオリゴヌクレオチドであって、前記第１のプライマーオリゴヌクレオチドは第２の配列を含み、前記第２の配列は、前記第２の配列が重複サブ配列及び非重複サブ配列を含むように、前記ブロッカーオリゴヌクレオチドの前記標的中立性サブ配列と少なくとも５ヌクレオチド重複し、前記第２の配列は前記ブロッカー可変性サブ配列を含まず、前記第２の配列は、ハイブリダイゼーションの標準自由エネルギー（ΔＧ°ＰＴ）を生じさせ、前記第１の配列はハイブリダイゼーションの標準自由エネルギー（ΔＧ°ＢＴ）を生じさせ、以下の条件：
＋２ｋｃａｌ／ｍｏｌ≧ΔＧ°ＰＴ−ΔＧ°ＢＴ≧−８ｋｃａｌ／ｍｏｌ
を満たす、前記第１のプライマーオリゴヌクレオチド；
を含むオリゴヌクレオチド組成物。
【請求項９】
酵素による伸長を防止する官能基又は非相補的配列領域を３’末端又はその付近にさらに含み、前記官能基が、３−炭素スペーサー又はジデオキシヌクレオチドを含む、請求項８に記載のオリゴヌクレオチド組成物。
【請求項１０】
重複サブ配列が、標的中立性サブ配列の５’末端の部分を含み、
前記部分が、５ヌクレオチド〜４０ヌクレオチドであるか、又は任意で７ヌクレオチド〜３０ヌクレオチドである、請求項８に記載のオリゴヌクレオチド組成物。
【請求項１１】
非重複サブ配列がハイブリダイゼーションの標準自由エネルギー（ΔＧ°３）を生じさせ、以下の条件：
−４ｋｃａｌ／ｍｏｌ≧ΔＧ°３≧−１２ｋｃａｌ／ｍｏｌ
を満たす、請求項８に記載のオリゴヌクレオチド組成物。
【請求項１２】
ブロッカーオリゴヌクレオチドの濃度が、第１のプライマーオリゴヌクレオチドの濃度より２〜１０，０００倍高く、任意で、前記ブロッカーオリゴヌクレオチドの濃度が、前記第１のプライマーオリゴヌクレオチドの濃度より５〜１，０００倍高く、任意で、前記ブロッカーオリゴヌクレオチドの濃度が、前記第１のプライマーオリゴヌクレオチドの濃度より２〜５倍高い、請求項８に記載のオリゴヌクレオチド組成物。